(57)【要約】  【課題】高さ調整を施して仮に設置している際に、コの字状襖縁が下降して、鴨居から外れて倒れてしまったりすることが発生することのない、設置が容易でコストの安い仮設置用襖を提供する。  【解決手段】上縁の両端にガイドを取付け、このガイドは縦縁内に挿入される構成となっており、上縁を上昇させた際にできる開口をふさぐ平板がそれぞれ設けられている。縦縁間は下部には芯材が設けられているが、上部においては表面、裏面側にそれぞれアルミ等の素材の薄板を取り付けて空間を形成し、上記薄板間にロック機構を設けた高さ調整部材を仮設置用襖の中央付近に設置している。【選択図】    図１
2006144393.tif 000002
【特許請求の範囲】
【請求項１】
高さ調整機能を有する仮に設置する仮設置用襖において、
断面形状が略コの字状をした２本の縦縁と、
上記縦縁のコの字状部に挿入されるガイドが両端部に設置された上縁を有し、
上記２本の縦縁間に設置された板部材と上記上縁とに接続され、任意の高さに上記上縁を調整した状態で上記上縁を固定できる高さ調整手段を上記２本の縦縁間の中央付近上部に有することを特徴とする仮設置用襖。
【請求項２】
２本の縦縁間の上部において、仮設置用襖の表側及び裏側それぞれに板部材を配設し、２本の縦縁と２枚の板部材によって仮設置用襖上部に上側開口の空間を形成し、
上縁に取り付けられ、上縁を上昇させた際にできる上記上縁のコの字状部に挿入されるガイドと高さ調整手段間の開口をふさぐ平板が上記空間に収納されることを特徴とする請求項１記載の仮設置用襖。
【請求項３】
高さ調整部材は、任意の位置で固定するロック手段を有するスライド部材であり、スライドするレール部に略ラック状の歯部を有し、上記歯部に噛み合わせる部材を動作させるレバーあるいはハンドル等の操作部を具備していることを特徴とする請求項１、請求項２記載の仮設置用襖。
【発明の詳細な説明】
【技術分野】
【０００１】
本発明は、仮設置用建具の高さ調整構造に関するものである。さらに詳しくは、襖や障子などの張り替え時において、張り替えのために持ち帰る襖や障子の施工が完了するまで仮に設置しておく仮の建具、すなわち仮設置用襖や仮設置用障子に関するもので、施工場所の状況に合わせて所望の高さに調整ができる構造となっているものに関するものである。
【背景技術】
【０００２】
襖や障子は、張り替えする際には、張り替え業者が持ち帰り、張り替え後に再度設置するという手順が実施されている。持ち帰ると設置していた襖や障子が取り外されたままとなるため、その部屋においては冷暖房ができない状態となったり、押入れの中が見えたままの状態となり快適な生活ができなくなる。
【０００３】
その問題を解決するために仮の襖などを設置するという提案がなされている。特許文献１として下記に記した特開平８−１９９９２１号では、襖の上方を切離し、切離された襖縁の双方を摺動カバーで覆い、該切離したコの字状襖縁の中に平板を張り、前記切離した部分を中骨に設けた切込み内を上下させながら高さを調整するとともに、コの字状襖縁の縦縁の外側に設けた湾曲状板バネが、摺動カバー内壁に押さえられ所望点で停止するように設けたものであることが知られている。
【０００４】
特許文献２として下記に記した特許第２８９０２４６号では、襖本体の縦襖縁上部を切離し、コの字状とし、切り離した上方は、襖面の厚さ分の間隙を設けて平板を表裏に張設し、表面に襖紙を貼り、中空状の襖面を形成し、切り離した上方の縦襖縁下端寄りの側部には湾曲状板バネを設けてなる襖摺動部分体と、下方は、前記襖摺動部分体の中空部に入り込むように突出襖面を形成した襖本体とを、上下に切り離した縦襖縁を断面コの字状の摺動カバーで覆い掛止し、切離した襖摺動部分体の縦襖縁は、襖本体の縦襖縁上方に設けた摺動カバー内に挿通し、襖面は襖摺動部分体の中空状襖面内に、襖本体の突出襖面の外側に冠合させ、切離した縦襖縁と摺動カバー内の襖本体外部の接触面が板バネでもって押圧された状態で上下動自在とし、所望点で、襖上方部分体位置を停止自在とするものであることが知られている。
【０００５】
またさらに、特許文献３として下記に記した特開平１０−２３８２２６号では、襖本体に上下の横框及び左右の縦框を設け、上下横框の一方又は双方に調整桟を配置した襖において、前記調整桟が配置される襖コーナー部に高さ調整ブロックを設け、この調整ブロックは、縦框に挿入される縦突出部及び調整桟に挿入される第１横突出部を有するブロック本体と、このブロック本体に回転可能に装着され且つ回転操作部を有するねじ軸と、このねじ軸に螺合する雌ねじ部を有し且つその先端が横框に挿入される第２横突出部とを備えた構成であることが知られている。
【０００６】
【特許文献１】特開平８−１９９９２１号公報
【特許文献２】特許第２８９０２４６号公報
【特許文献３】特開平１０−２３８２２６号公報
【発明の開示】
【発明が解決しようとする課題】
【０００７】
特許文献１の仮設置用襖は、湾曲状板バネが、摺動カバー内壁に押さえられて所望点で停止する構成となっているが、繰り返し使用するとこの湾曲状板バネが徐々に変形し、当初の停止力が維持できなくなる問題があった。また、摺動カバーは縦襖縁に木ネジ等の止め具で固定されているが、繰り返し使用すると摺動カバー自体もしくは摺動カバーの取付にガタが出てしまい、上記の湾曲状バネの変形と合わさって所望点での停止が維持できにくい状態となる。その結果、高さ調整を施して仮に設置している際に、コの字状襖縁が下降して、鴨居から外れて倒れてしまったりすることが発生する。場合によっては、その時に人や物に当たって思わぬ事故を発生させる可能性がある。
【０００８】
特許文献２においても、湾曲状板バネと摺動カバーを使用している構成であり、滑り止め部材を使用したりする構成とはなってはいても、繰り返し使用による湾曲状板バネの変形によるバネ力低下や摺動カバー自体や取付のガタに関する問題は特許文献１と同様に有しており思わぬ事故を発生させる可能性がある。
【０００９】
特許文献３においては、上下の両端に高さ調整ブロックが設けられ、回転操作部にて高さ調整ができるように構成されているが、この襖は仮の設置用ではないため、非常にコストがかかる構成になっており、また、設計通りには仕上がらない現場現場におけるちょっとした柱の湾曲状の変形や敷居の曲がりなどに対応するために、襖と柱あるいは襖同士の当接部に隙間ができないように調節するためのもので、その調整範囲は限られたものとなっている。そのため、張り替え業者が仮設置用として使用するためには、いくつものサイズを複数枚準備しなければならず保管場所やその管理などに問題がある。
【課題を解決するための手段】
【００１０】
上記課題を解決するために本発明の請求項１は、
高さ調整機能を有する仮に設置する仮設置用襖において、
断面形状が略コの字状をした２本の縦縁と、
上記縦縁のコの字状部に挿入されるガイドが両端部に設置された上縁を有し、
上記２本の縦縁間に設置された板部材と上記上縁とに接続され、任意の高さに上記上縁を調整した状態で上記上縁を固定できる高さ調整手段を上記２本の縦縁間の中央付近上部に有することを特徴とする仮設置用襖としている。
【００１１】
上縁の両端に設置されたガイドが縦縁内に挿入された状態で上縁の上下移動を行う構成となっており、上縁の固定は２本の縦縁間の中央付近上部の高さ調整手段によってできるため、片手で上縁の調整、もう片手で固定という簡単な操作で設置することが可能で、確実な固定ができる仮設置用襖が提供できる。また、上記構成により、縦縁から横に出っぱり等が無く、柱又は隣り合う襖との当接で隙間が発生することのない仮設置用襖が提供できる。
【００１２】
本発明の請求項２は、
２本の縦縁間の上部において、仮設置用襖の表側及び裏側それぞれに板部材を配設し、２本の縦縁と２枚の板部材によって仮設置用襖上部に上側開口の空間を形成し、
上縁に取り付けられ、上縁を上昇させた際にできる上記上縁のコの字状部に挿入されるガイドと高さ調整手段間の開口をふさぐ平板が上記空間に収納されることを特徴とする請求項１記載の仮設置用襖としている。
【００１３】
上縁を高さ調整した際にできるガイドと高さ調整手段間の開口をふさぐ平板を設け、その平板は仮設置用襖上部の空間に収納されるため、簡単な構造で、高さ調整の巾を大きく設定できる。また開口部は平板でふさぐため、コストのかからない構造で快適な生活ができる仮設置用襖として張り替え業者が使用するのに好適である。またさらに、高さ調整手段と平板間にできる隙間等については適宜スポンジ等の弾性材を配置させておくとより好適とできる。
【００１４】
本発明の請求項３は、
高さ調整部材は、任意の位置で固定するロック手段を有するスライド部材であり、スライドするレール部に略ラック状の歯部を有し、上記歯部に噛み合わせる部材を動作させるレバーあるいはハンドル等の操作部を具備していることを特徴とする請求項１、請求項２記載の仮設置用襖としている。
【００１５】
略ラック状の歯部にレバーあるいはハンドル等の操作部を操作することにより噛み合わせて上縁を所望の高さで確実に固定することができるため、仮設置用襖が外れて倒れるなどの思わぬ事故を発生させる心配が解決できる。
【発明の効果】
【００１６】
上記の通り片手で上縁の調整、もう片手で固定という簡単な操作で設置することが可能で、確実な固定ができる仮設置用襖が提供できる。また、柱又は隣り合う襖との当接で隙間が発生することのない仮設置用襖が提供できる。
【００１７】
また、上縁を高さ調整した際にできるガイドと高さ調整手段間の開口をふさぐ平板を設け、その平板は仮設置用襖上部の空間に収納されるため、簡単な構造で、高さ調整の巾を大きく設定できる。また開口部は平板でふさぐため、コストのかからない構造で快適な生活ができる仮設置用襖として張り替え業者が使用するのに好適である。
【００１８】
また、略ラック状の歯部にレバーあるいはハンドル等の操作部を操作することにより噛み合わせて上縁を所望の高さで確実に固定することができるため、仮設置用襖が外れて倒れるなどの思わぬ事故を発生させないようにできる。
【発明を実施するための最良の形態】
【００１９】
本発明の仮設置用襖１の実施の形態を説明すると、図１及び図２に示すように縦縁２，２に略コの字型をした部材を使用している。そして下縁３は従来と同様の下縁形状で取り付けられ、縦縁２，２と下縁３内に芯材４が設けられている。この芯材４は縦縁２，２の上部付近までは設けずに、上部の縦縁２，２間においては空間が形成されるように設け、芯材４の表裏面には襖紙（図示せず）が貼り付けられている。
【００２０】
上部付近の縦縁２，２間には仮設置用襖１の表面、裏面側にそれぞれアルミ等の素材の薄板５，５が取り付けられ、仮設置用襖１の中央付近で、この薄板５，５間にスライド部材６が設けられている。薄板５，５側に設けられているのはスライド部材のロック機構７が設けられた側を取付け、スライドするレール８の先端側に上縁９を取り付けている。
【００２１】
上縁９の両端にはガイド１０，１０を取付けている。このガイド１０，１０は縦縁２，２内に挿入され上下移動のためのガイドとして作用する。レール８の左右において、ガイド１０と上縁９には上縁９を上昇させた際にできる開口をふさぐ平板１１，１１がそれぞれ設けられている。薄板５，５及び平板１１，１１についてはそれぞれ芯材４に張り付けた襖紙を張り付けておくと仮設置用であっても外観的に見栄えをよくできる。
【００２２】
以上の構成の仮設置用襖１を、張り替えのために外した襖の替わりに設置するのであるが、下縁３を敷居に入れて、ロック機構７をロック解除状態としておき、上縁９を鴨居内に適宜な位置になるように上昇させて高さを調整し、調整ができた状態でロック機構７で固定する。このような簡単な手順で設置が可能とできる。
【００２３】
このロック機構は、表面には旋回できるロック用ハンドル７ａがあり、このロックハンドル７ａを９０゜おこし（図２の状態）、その状態で時計回りに９０゜ロックハンドル７ａを回すと、スライド部材６内においてレール８に設けられた略ラック状の歯部７ｂに噛み合う板バネ状の部材７ｃ（図３参照）を回動部７ｄが歯部７ｂに押しつける状態となり、歯部７ｂにしっかりと噛み合うことによりレール８の移動が確実にロックされる構成としている。ロック状態から反時計回りにハンドル７ａを回転させるとロックが解除される。
【００２４】
仮設置用襖１は仮設置用であるため、繰り返しの使用に耐える強度を有し、ある程度の美観があれば重量は軽くてコストは安いことが望ましい。そのため、アルミの部材や樹脂部材を適宜使用して安価かつ軽量にしておくのが望ましい。
【００２５】
上記においては、スライド部材６を用いた高さ調整及びロック機構を説明したが、スライド部材６以外の実施の形態としてもよい。例えば、図４に示すように、上縁９には軸１２を取付けて、この軸１２を固定するためのクランプ部材１３を薄板５，５間に設ける構成としてもよい。この場合クランプ部材１３はレバー１４での固定を少しの回転で確実に行えるようにすることと、平板１１，１１と軸１２間にできる隙間を小さくすること、また隙間ができる場合には適宜その隙間をふさぐためのスポンジ等の弾性部材の設置等を適宜実施することが望ましい。
【００２６】
その他種々のロック機構も採用することができる。ロック機構は簡単な操作で確実にロックができるものであれば良く、本発明は、そのロック機構について上記に説明したものに限定するものではない。また、スライド部材６のようなスライドした任意の位置でロックできるような部材は市販されている部材も存在し、それらの市販されている部材を採用する設計としてもよいことは言うまでもない。また、本発明は襖以外の障子などの建具の張り替え時においても使用することができる。
【図面の簡単な説明】
【００２７】
【図１】本発明の仮設置用襖の構成を説明する図。
【図２】本発明の仮設置用襖の上部の構成を説明する断面図。
【図３】ロック機構の構成を説明する断面図。
【図４】高さ調整について他のロック機構を示す説明図。
【符号の説明】
【００２８】
１  仮設置用襖  
２  縦縁
３  下縁
４  芯材
５  薄板
６  スライド部材  
７  ロック機構
７ａ  ロック用ハンドル
７ｂ  歯部
７ｃ  板バネ状の部材
７ｄ  回動部
８  レール
９  上縁
１０  ガイド
１１  平板
１２  軸
１３  クランプ部材
【図１】
2006144393.tif 000003
【図２】
2006144393.tif 000004
【図３】
2006144393.tif 000005
【図４】
2006144393.tif 000006